(57)【特許請求の範囲】
【請求項１】
便器システムのロータンクの上端に取り付けられるトイレ用収納器具であって、
a) ロータンク上端に嵌め込み可能な底部を有し、該嵌め込み状態において該底部とロータンク上部の接続部が隙間なく接続されるようになっている本体ケースと、
b) 前記本体ケースに設けた蓋と、
を備えることを特徴とするトイレ用収納器具。
【請求項２】
前記蓋を前記本体ケースの上部に設けたことを特徴とする請求項１に記載のトイレ用収納器具。
【請求項３】
前記本体ケースの前面又は前記蓋に窓を設けたことを特徴とする請求項１又は２に記載のトイレ用収納器具。
【請求項４】
前記蓋が２枚のパネルを回動可能に結合して成るものであり、更に該蓋を閉じた状態で該結合部に対応する位置に前記本体ケース内を２つの収納空間に分割する仕切を設け、前記回動により前記２つの収納空間のうち一方を開放可能としたことを特徴とする請求項１〜３のいずれかに記載のトイレ用収納器具。
【請求項５】
便器と、ロータンクと、該ロータンクの上に載置された請求項１〜４に記載のトイレ用収納器具と、を含む便器システム。
【発明の詳細な説明】
【０００１】
【発明の属する技術分野】
本発明は、トイレ用品を収納するための収納器具に関する。なお、本明細書において「収納器具」というときは、内部に物を収納するための器具（例えばキャビネット、引き出し、ボックス、ケース等）のみならず、より広く物品の保管、整頓等に使用される器具（例えばタオル掛け、トイレットペーパーホルダ等）も含むものとする。
【０００２】
【従来の技術】
今日では、収納設備を含むユニット化された水洗便器システムも存在するが、多くの一般家庭では、収納設備を設置するための平面スペースがトイレ室用に確保されていないのが現状である。このような場合、比較的広い空間が残されたトイレ室内の高い位置に棚、クローゼット等を設け、ここに予備のトイレットペーパーや生理用品等を置くようにすることが多い。しかし、中には、収納設備を一切備えておらず、便器及びその洗浄システムの他には、壁に固定されたトイレットペーパーホルダ及びタオル掛けしか備えられていないというトイレ室もあり、更には、設備されているのは便器及び洗浄システムのみというトイレ室も見受けられる。
【０００３】
【発明が解決しようとする課題】
上記のようにトイレ室内には予備のトイレットペーパーや生理用品等を常備しておくのが通常である。これらの物品をトイレ室内の床上に置くことは非衛生的であるため、もしトイレ室内に収納設備が備えられていなければ、使用者が適宜収納器具等を準備する必要がある。しかし、トイレ室が狭い場合、据え置き型の収納器具をそこに設置すると、更にトイレ室が狭くなるだけでなく、トイレ室の清掃にかかる手間が増大してしまう。
【０００４】
トイレ室の壁面の適宜位置に棚やタオル掛けを釘やネジ等を用いて取り付けることも頻繁に行なわれる。しかし、例えば賃貸住宅の場合、トイレ室内の壁に賃借人が釘やネジ等を用いて棚やタオル掛け等を取り付けるには、賃貸契約上家主の許可が必要とされることもある。一方、もし壁が表面の平滑な樹脂板等で作成されたものであれば、吸着板で棚等を壁に固定することも可能ではあるが、壁が平滑ではないトイレ室にはこの方法を適用できない。
【０００５】
対面する一対の壁により両端を挟持させることにより釘やネジ等を用いることなくトイレ室内に架設可能な棚等も市販されている。このような棚は立った人の頭に当たらないような高い位置に設ける必要があり、従って、便器に着座した姿勢では使用者が棚上の物品を手に取ることができない。
【０００６】
本発明はこのような課題を解決するために成されたものであり、その目的とするところは、狭いトイレ室内の空間においても使用者の通常の身体動作を妨げることなく、且つ、使用者はその姿勢の如何に関わらず、そこに収納された物品を容易に手に取ることができるようなトイレ用収納器具を提供することにある。
【０００７】
【課題を解決するための手段】
上記課題を解決するために成された本発明に係るトイレ用収納器具は、便器システムのロータンクの上端に取り付けられるものであって、
a) ロータンク上端に嵌め込み可能な底部を有し、該嵌め込み状態において該底部とロータンク上部の接続部が隙間なく接続されるようになっている本体ケースと、
b) 前記本体ケースに設けた蓋と、
を備えることを特徴とする。
【０００８】
【発明の実施の形態及び発明の効果】
本発明に係るトイレ用収納器具は、便器システムの本体部、すなわち便器本体、ロータンク等といった便器システムの主要構成要素の所定位置に着脱自在に構成されたものである。すなわち、本発明に係るトイレ用収納器具はトイレ室内の壁や床等の上に取り付け又は設置されるのではなく、便器システムの本体部に取り付けられるものであるから、その取付に際して壁を傷つけることはない。また、例えば本発明に係るトイレ用収納器具をロータンク横に取り付ける構成とすれば、トイレ室内における使用者の通常の身体動作（トイレ室の扉の開閉、便座への着座、排泄及びその後の処理、洗浄システムの操作、手洗い等）の妨げとならないだけでなく、便座に着座した姿勢でも使用者はそのトイレ用収納器具に収納された物を容易に取り出すことができる。
【０００９】
本発明に係るトイレ用収納器具を便器システムの本体部の所定位置に取り付ける構造には様々なものが考えられる。いくつかの例を下記する。
（１）トイレ用収納器具にフック等の形成された係合部を設け、該係合部を便器システムの本体部の所定部分に係合させると、トイレ用収納器具が便器システムの本体部の所定位置に取り付けられるという構造。
（２）トイレ用収納器具にネジ穴等の形成された螺着部を設け、該螺着部をネジ等で便器システムの本体部の所定部分に螺着すると、トイレ用収納器具が便器システムの本体部の所定位置に取り付けられるという構造。
（３）トイレ用収納器具に吸盤等を備える吸着部を設け、該吸着部を便器システムの本体部の所定部分に吸着させると、トイレ用収納器具が便器システムの本体部の所定位置に取り付けられるという構造。
（４）トイレ用収納器具にマジックテープ（商標）等を利用して構成した接着部を設け、該接着部を便器システムの本体部の所定部分に接着させると、トイレ用収納器具が便器システムの本体部の所定位置に取り付けられるという構造。
（５）トイレ用収納器具に嵌合部を設け、該嵌合部を便器システムの本体部の所定部分に嵌合させると、トイレ用収納器具が便器システムの本体部の所定位置に取り付けられるという構造。
【００１０】
上記各構造のうち、構造（１）、（２）及び（５）によれば、十分に大きな荷重上限を有するトイレ用収納器具を構成することができる。また、構造（３）及び（４）によれば、トイレ用収納器具を取り付けるために特に便器システムの本体に係合部や嵌合部を設ける必要がなく、容易に取り付け可能なトイレ収納器具を構成することができる。
【００１１】
本発明に係るトイレ用収納器具の一態様として、物を収納するための収納空間を有し、便器システムの本体部の所定位置に着脱可能なホルダ部と、該ホルダ部により保持され、その位置を所定範囲内で変更可能な可動部とを備えるものが挙げられる。前記可動部の例としては、例えばホルダ部により摺動可能に保持された引き出し、ホルダ部の収納空間の開口面に回動可能に取り付けられた扉又は蓋、等が挙げられる。このようなトイレ用収納器具では、前記可動部を所定位置に配置すると前記ホルダ部の収納空間が密閉されるようにすることが好ましい。このようにすると、可動部を所定位置に配置したときには収納空間が密閉されるため、例えば、手洗い時に水が収納物にかかるおそれがなくなる。また、上記トイレ用収納器具は、生理用品のように通常は人目につかないところに保管することが好ましい物を収納するのにも適している。
【００１２】
上記態様のトイレ用収納器具において、収納しようとする物がトイレットペーパーのようにその残量を常時確認できるようにすることが好ましい物である場合は、可動部又はその他の適宜箇所に収納物の残量を目視確認するための開口や窓等を設けることが好ましい。
【００１３】
上記態様のトイレ用収納器具において、上記可動部を上記便器システムに含まれる便器の幅方向に位置を変更可能であるように構成すると、可動部をいかなる位置に配置しても、該可動部が使用者の通常の身体動作を妨げることがなくなる。
【００１４】
上記態様のトイレ用収納器具において、上記可動部を上記便器システムに含まれる便器の長さ方向に位置を変更可能であるように構成することも可能である。このようにすると、便器システムの左右に十分な空き空間が残されていない場合でも、可動部の移動範囲を十分に確保することができる。なお、この場合、特に着座状態における使用者の身体動作の妨げとならないようにするため、可動部を配置する高さを低くする（着座した使用者の腰の高さ程度かそれより低め）ことが望ましい。
【００１５】
本発明に係るトイレ用収納器具を、便器の使用の態様に応じてその位置を所定範囲内で変更可能な便座及び便蓋を備える便器システムに着脱自在な構成とする場合、前記便座又は便蓋が前記所定範囲内のいかなる位置にあっても該便座又は便蓋に接触することなく収納物の出し入れができるようにすることが好ましい。これは次のような理由による。例えば、ロータンクの正面にトイレ用収納器具を取り付けると、該トイレ用収納器具は便器の使用中には起立させられた便蓋により隠蔽されてしまうため、使用者はその中の収納物を取り出すことができない。また、トイレ用収納器具が上記のような可動部を備える場合を考えると、トイレ用収納器具の全体が完全に隠蔽されなくても、起立した便蓋が可動部の可動範囲に入り込んでいれば、可動部の移動が便蓋により妨げられるため、やはり収納物の取り出しに支障を来す。従って、トイレ用収納器具を構成する際には便座や便蓋の可動範囲を考慮し、それらに接触することなく収納物の出し入れができるような位置に取り付けるようにすることが望ましいのである。
【００１６】
なお、上記トイレ用収納器具においては、収納物は便器システムの本体部の側面において該本体部の幅方向に出し入れされるようにすることが好ましい。このようにすると、収納物が保持される高さはせいぜい便器システムに備えられたロータンクの上部が位置する高さまでであるから、便座に着座した姿勢でも使用者は容易に収納物を手に取ることができる。
【００１７】
本発明に係るトイレ用収納器具を、本体部が複数の部材から成るような便器システムに着脱自在な構成とする場合、該トイレ用収納器具は、前記本体部を構成する一の部材と他の部材との接続部を隠蔽するような位置に取り付けられるようにすることが望ましい。このようにすると、便器システムの外観が向上するだけでなく、部材と部材との間に汚れが付着しにくくなる。更に、トイレ用収納器具の表面と便器システムの表面とが一体的な連続面を構成するようにすれば、清掃性がより高められるため、好ましい。
【００１８】
【実施例】
本発明に係るトイレ用収納器具の各種実施例を図面を参照しながら説明する。
【００１９】
図１は本発明の一実施例であるタオル掛け１０を備える便器システムを示す斜視図である。図に示した便器システムは、便器１１、ロータンク１２、手洗い器１４等から主として成る。図１では手洗い器１４をロータンク１２の上部から外した様子を示しているが、この図から分かるように、ロータンク１２の上端には切欠１２ａ及び１２ｂが設けられている。一方、タオル掛け１０はＬ字形で、その両端にはフック形の係合部１０ａ及び１０ｂが設けられている。これらの係合部１０ａ及び１０ｂを前記切欠１２ａ及び１２ｂにそれぞれ係合させ、手洗い器１４をロータンク１２の上に載置すると、タオル掛け１０がロータンク１２の上部に固定される。なお、手洗い器１４を使用しない場合は代わりに天板１５を載置する。
【００２０】
図２（ａ）は本発明の別の実施例であるタオル掛け２０を備える便器システムの一部を示す斜視図であり、（ｂ）はその一部の断面図である。ロータンク１２の上部には４つの切欠１２ａ、１２ｂ、１２ｃ及び１２ｄが左右対称に設けられており、更に、ロータンク１２の内側には４つの差し込み口２１ａ、２１ｂ、２１ｃ及び２１ｄが各切欠の下側に備えられている。一方、タオル掛け２０はＬ字形で、その両端はいずれもＴ字形になっている。このＴ字形部分の端部２０ａ、２０ｂ、２０ｃ及び２０ｄで表わす。このようなタオル掛け２０を図面上でロータンク１２の右側の切欠１２ａ及び１２ｂに取り付けるには、Ｔ字形の端部２０ａ及び２０ｂが差し込み口２１ａ及び２１ｂに挿入されるようにする一方、ロータンク１２の左側の切欠１２ｃ及び１２ｄに取り付けるには、Ｔ字形の端部２０ｃ及び２０ｄが差し込み口２１ａ及び２１ｂに挿入されるようにする。なお、図２（ｂ）は、タオル掛け２０のＴ字形端部２０ａをロータンク１２の差し込み口２１ａに差し込み、ロータンク１２の上に天板１５を載置した様子を示す断面図であるが、他のＴ字形端部を他の差し込み口に差し込んだ状態もこれと同様になる。
【００２１】
図３は本発明の更に別の実施例であるキャビネット３０を備える便器システムの一部を示す斜視図である。キャビネット３０の、ロータンク１２に面する側の上部にはフック形の係合部３１が設けられており、また下部にはネジ穴３２が設けられている。また、キャビネット３０の正面には扉３３が備えられている。このキャビネット３０をロータンク１２の側面に固定するには、まずロータンク１２の側面の上部に設けられた切欠３４に上記係合部３１を係合させる。すると、上記ネジ穴３２と、それに対応してロータンク１２の側面の下部に設けられたネジ穴３５とが重なり合う。この状態で、扉３３を開き、ネジ穴３２及び３５にネジ３６を螺入させると、キャビネット３０がロータンク１２に固定される。
【００２２】
なお、ロータンク１２のネジ穴３５として既存のネジ穴を利用するようにしてもよい。例えば、最近の便器システムでは、便器の上面に基板を固定し、その基板に側壁となるパネルを螺着することによりロータンク１２（正確には内部にタンクを格納するためのケーシング）を組み立てるようにしたものがあるが、このような便器システムでは、ロータンク１２の側壁パネルを基板に螺着するためのネジ穴を利用して、キャビネット３０を固定するようにすることができる。このようにすると、キャビネット３０を固定するための特別なネジ穴をロータンク１２側に設ける必要がなくなり、製造コストの低減が図れる。
【００２３】
図４（ａ）は本発明の更に別の実施例であるキャビネット４０を備える便器システムの一部を示す斜視図である。キャビネット４０の、ロータンク１２に面する側の側壁４１には吸盤４２が備えられている。図４（ｂ）及び（ｃ）は吸盤４２の構造を示す断面図である。吸盤４２はキャビネット４０の側壁４１に設けられた開口４１ａに嵌入されており、その吸着部４２ａは開口４１ａの内部で外に向いている。このようなキャビネット４０をロータンク１２の側壁４３に取り付けるには、キャビネット４０の側壁４１をロータンク１２の側壁４３に当接させた状態で、キャビネット４０の扉４４を開き、吸盤４２の頭部４２ｂをロータンク１２の側壁４３の方へ押圧する。すると、図４（ｃ）に示したように、吸盤４２の吸着部４２ａがロータンク１２の側壁４３に吸着する。
【００２４】
図５は本発明の更に別の実施例である収納ボックス５０を備える便器システムの一部を示す斜視図である。収納ボックス５０は、便器１１の後部に存在する凹部５１に嵌合可能な形状を有している。収納ボックス５０の底面５０ａ及び側面５０ｂ、凹部５１の底面５１ａ及び５１ｂにはマジックテープ（商標）５２及び５３が備えられており、これにより、収納ボックス５０は凹部５１に着脱可能となっている。なお、収納ボックス５０には回転蓋５６が備えられており、この回転蓋５４を図６に示したように開くことにより、収納ボックス５０の内部に物を入れることができる。
【００２５】
図７（ａ）は本発明の更に別の実施例であるキャビネット７０を備える便器システムの一部を示す断面図であり、（ｂ）は（ａ）の破線円７１に含まれる部分の拡大図である。キャビネット７０の上部にはフック形の係合部７２が設けられており、これがロータンク１２の側壁４３の上部に係合され、その上に天板１５が載置されている。一方、キャビネット７０の底面には、適度な弾性を有する材料（例えば鉄等の金属）で作成された結合部材７４が固定されている。結合部材７４の先端付近には凸部７４ａが設けられており、この凸部７４ａが、ロータンク１２の基板７５の底面に設けられた凹部７５ａに嵌合されている。このような係合及び嵌合構造により、キャビネット７０がロータンク１２の側壁４３に取り付けられている。
【００２６】
図８（ａ）は本発明の更に別の実施例であるキャビネット８０を備える便器システムの一部を示す断面図であり、（ｂ）は（ａ）の破線円８１に含まれる部分の拡大図である。キャビネット８０の上部にはフック形の係合部８２が設けられており、これがロータンク１２の側壁４３の上部に係合され、その上に天板１５が載置されている。ロータンク１２の底部を成す基板８４の底面には適度な弾性を有する材料（例えば鉄等の金属）で作成された結合部材８５が固定されている。結合部材８５の先端部はＬ字状で、その先端はキャビネット８０の底部に設けられた凹部８０ａに嵌合されている。このような係合及び嵌合構造により、キャビネット８０がロータンク１２の側壁４３に取り付けられている。
【００２７】
図９（ａ）は本発明の更に別の実施例であるキャビネット９０を備える便器システムの一部を示す斜視図である。キャビネット９０の正面部には横開きの扉９１及び縦開きの扉９２が備えられている。図９（ｂ）はこれらの扉を開いたところを示す斜視図である。この図に示したように、キャビネット９０の内部は仕切９３により上下２つの収納空間に分割されており、使用者はここに物を収納することができる。なお、縦開きの扉９２を図９（ｂ）のように開くと、扉９２の上面９２ａを小物を置くためのスペースとして利用することができる。
【００２８】
また、図９（ａ）を見ると、キャビネット９０はロータンク１２の左側面のほぼ全体を隠蔽するように取り付けられている。このようにすると、例えばロータンク１２の側面に部材と部材との接続部（図３の符号３７で示したような線状の接続部分）が存在する場合に、その接続部が外からは見えなくなるため、外観が向上する。なお、キャビネット９０をロータンク１２の側部に固定するには、例えば先に図３〜図８を参照しながら説明した各種構造を応用することができる。
【００２９】
図１０（ａ）は本発明の更に別の実施例である収納ボックス１００を備える便器システムの一部を示す斜視図である。収納ボックス１００は、有底角筒状の箱体１０１をその開口端１０２が前面に位置するようにロータンク１２の側面下部に固定し、該箱体１０１内に引き出し１０３を摺動可能に保持させて成るものであり、使用者は引き出し１０３を図１０（ｂ）に示したように手前に引き出し、その中に物を入れることができる。また、図１０（ａ）に示したように、箱体１０１の上面も、物を置く場所として適宜利用することができる。なお、収納ボックス１００をロータンク１２の側部に固定するには、例えば先に図４〜図６を参照しながら説明した各種構造を応用することができる。
【００３０】
図１１は本発明の更に別の実施例である収納ボックス１１０を備える便器システムの一部を示す斜視図である。収納ボックス１１０は、内部が図示せぬ仕切により上下２つの収納空間に分割された箱体１１１をロータンク１２の側面下部に固定し、前記各収納空間に引き出し１１３及び１１４を摺動可能に保持させて成るものであり、使用者は引き出し１１３及び１１４を手前に引き出し、その中に物を入れることができる。また、引き出し１１３及び１１４の前面板１１５及び１１６の高さは、各収納空間の高さよりも低くしてあるため、引き出し１１３及び１１４を完全に押し込んだ状態でも収納物の有無や残量等を外から確認することができる。なお、収納ボックス１１０をロータンク１２の側部に固定するには、例えば先に図４〜図６を参照しながら説明した各種構造を応用することができる。
【００３１】
図１２は本発明の更に別の実施例である収納器１２０を備える便器システムの一部を示す斜視図、図１３（ａ）は図１２のＡ１−Ａ１線における水平断面図、また、図１３（ｂ）は図１２のＢ１−Ｂ１線における垂直断面図である。図１２に示したように、収納器１２０はロータンク１２の上に載置され、更にその上に天板１５が載置されている。収納器１２０の内部は、図１３（ａ）に示したように、一対のコの字形の仕切１２１により、略Ｔ字形の収納空間１２２、及びその両側の収納空間１２３及び１２４に分割されている。収納空間１２３及び１２４は側方に開いており、その開口部にはＬ字形の回転扉１２５及び１２６がそれぞれ備えられている。２つの回転扉１２５及び１２６の構造は同一であるため、図面上左側の回転扉１２５についてのみその構造を説明する。回転扉１２５の有する回転軸１２７は収納空間１２３の開口部の下部に回動可能に保持されている。収納空間１２３に物を収納しようとするときや、収納された物を取り出すときには、使用者は回転扉１２５を図面上で左方向に回転させる。このとき回転扉１２５は、収納空間１２３内の端部１２８が収納空間１２３の天井に接触したところで止まるため、回転扉１２５が回転し過ぎることはない。一方、Ｔ字形の収納空間１２２に物を出し入れする場合には、天板１５を取り外す。なお、収納空間１２２内における収納物の有無は、収納器１２０の前面に設けた窓１２９から内部を目視することにより確認できる。
【００３２】
図１４（ａ）は本発明の更に別の実施例である収納器１４０を備える便器システムの一部を示す斜視図であり、（ｂ）及び（ｃ）はいずれも（ａ）のＢ２−Ｂ２線における垂直断面図である。収納器１４０は、Ｌ字形の断面形状を有するカバーパネル１４１と弓形の平面形状を有する連結パネル１４２とをヒンジ１４３により回動可能に結合して成る蓋を有しており、更に、連結パネル１４２は別のヒンジ１４４により本体ケース１４５に連結されている。本体ケース１４５の内部は仕切１４６により前後の収納空間１４７及び１４８に分割されている。このような構成の収納器１４０がロータンク１２の上に嵌め込み構造で載置されている。
【００３３】
上記のような構成の収納器１４０は、２段階で蓋を開閉することができる。すなわち、第１段階においては、図１４（ｂ）に示したように、ヒンジ１４３を中心としてカバーパネル１４１のみを手前から奥へ回転させれば、手前の収納空間１４７のみが開放される。更に、第２段階においては、上記のようにカバーパネル１４１を開いた上で、更にヒンジ１４４を中心として連結パネル１４２をも回転させることにより、奥の収納空間１４８まで開放される。このような２段階開閉構造としたことにより、例えば手前の収納空間１４７にはトイレットペーパーを収納する一方、奥の収納空間１４８には生理用品などのように人目につかないところに保管することが好ましい物を収納する、というように２つの収納空間を使い分けることができる。なお、図に示したように、カバーパネル１４１に窓１４９を設ければ、カバーパネル１４１を開かずに収納物の残量などを目視確認することができる。
【００３４】
図１５（ａ）及び（ｂ）は図１４の収納器１４０の変形例である収納器１５０を備える便器システムの一部を示す斜視図である。収納器１５０も、カバーパネル１５１及び連結パネル１５２をヒンジ１５３により回動可能に連結して成る蓋を、更にヒンジ１５４にて本体ケース１５５に連結した構造を有している。この収納器１５０の特徴は、図１５（ａ）のようにカバーパネル１５１を閉じた状態において、その先端部１５６が、ロータンク１２の正面にて起立させられた状態の便蓋１３の上端よりも高い位置に来るようにしたことを特徴とする。このようにすると、図１５（ａ）のような状態からヒンジ１５３を中心としてカバーパネル１５１を開く際に、カバーパネル１５１の先端部１５６の移動が便蓋１３により妨げられることがないため、スムーズにカバーパネル１５１を開き、図１５（ｂ）のような状態にすることができる。
【００３５】
図１６（ａ）及び（ｂ）は本発明の更に別の実施例である収納器１６０を備える便器システムの一部を示す斜視図である。収納器１６０は、ロータンク１２の幅方向に摺動可能な左右の引き出し１６１及び１６２と、その背後に位置する収納空間１６４とを有している。収納空間１６４の開口面にはカバーパネル１６５がヒンジ１６６により回動可能に連結されている。引き出し１６１及び１６２は、図１６（ｂ）に示したようにロータンク１２の幅方向に摺動するため、便蓋１３をロータンク１２の正面にて起立させた状態でもこれを開閉することができる。また、収納空間１６４のカバーパネル１６５の開閉にも便蓋１３が妨げとなることはない。
【００３６】
図１７は本発明の更に別の実施例である収納用ホルダ１７０を備える便器システムの一部を示す斜視図である。収納用ホルダ１７０は、ロータンク１２の側面に取り付けられており、収納物の出し入れはロータンク１２の幅方向に行なうような構成となっている。従って、便蓋１３が破線１７１で示した位置にあっても、該便蓋１３が収納物の出し入れの妨げになることはない。
【００３７】
以上、本発明の各種実施例について説明したが、実施例は上記に限られず、本発明の精神及び範囲内で様々に変形可能であることは言うまでもない。
【図面の簡単な説明】
【図１】本発明の一実施例であるタオル掛けを備える便器システムを示す斜視図。
【図２】（ａ）は本発明の別の実施例であるタオル掛けを備える便器システムの一部を示す斜視図、（ｂ）はその一部の断面図。
【図３】本発明の更に別の実施例であるキャビネットを備える便器システムの一部を示す斜視図。
【図４】（ａ）は本発明の更に別の実施例であるキャビネットを備える便器システムの一部を示す斜視図、（ｂ）及び（ｃ）は吸盤の構造を示す断面図。
【図５】本発明の更に別の実施例である収納ボックスを備える便器システムの一部を示す斜視図。
【図６】図５の収納ボックスの扉を開いたところを示す斜視図。
【図７】（ａ）は本発明の更に別の実施例であるキャビネットを備える便器システムの一部を示す断面図、（ｂ）は（ａ）の破線円に含まれる部分の拡大図。
【図８】（ａ）は本発明の更に別の実施例であるキャビネットを備える便器システムの一部を示す断面図、（ｂ）は（ａ）の破線円に含まれる部分の拡大図。
【図９】（ａ）は本発明の更に別の実施例であるキャビネットを備える便器システムの一部を示す斜視図、（ｂ）は前記キャビネットの扉を開いたところを示す斜視図。
【図１０】（ａ）は本発明の更に別の実施例である収納ボックスを備える便器システムの一部を示す斜視図、（ｂ）は前記収納ボックスの引き出しを開けたところを示す図。
【図１１】本発明の更に別の実施例である収納ボックスを備える便器システムの一部を示す斜視図。
【図１２】本発明の更に別の実施例である収納器を備える便器システムの一部を示す斜視図。
【図１３】（ａ）は図１２のＡ１−Ａ１線における水平断面図、（ｂ）は図１２のＢ１−Ｂ１線における垂直断面図。
【図１４】（ａ）は本発明の更に別の実施例である収納器を備える便器システムの一部を示す斜視図、（ｂ）及び（ｃ）はいずれも（ａ）のＢ２−Ｂ２線における垂直断面図。
【図１５】（ａ）及び（ｂ）は図１４の収納器の変形例である収納器を備える便器システムの一部を示す斜視図。
【図１６】（ａ）及び（ｂ）は本発明の更に別の実施例である収納器を備える便器システムの一部を示す斜視図。
【図１７】本発明の更に別の実施例である収納用ホルダを備える便器システムの一部を示す斜視図。
【符号の説明】
１０、２０…タオル掛け
１１…便器
１２…ロータンク
１２ａ〜１２ｄ…切欠
１３…便蓋
３０、４０…キャビネット
３２、３５…ネジ穴
３６…ネジ
４２…吸盤
５０…収納ボックス
５２、５３…マジックテープ
５４…回転蓋
７０、８０、９０…キャビネット
９１、９２…扉
１００、１１０…収納ボックス
１２０、１４０、１５０…収納器
１２５、１２６…回転扉
１４１、１５１、１６５…カバーパネル
１４３、１４４、１５３、１５４、１６６…ヒンジ
１０３、１１３、１１４、１６１、１６２…引き出し
【図１】
0003575241.tif 000002
【図２】
0003575241.tif 000003
【図３】
0003575241.tif 000004
【図４】
0003575241.tif 000005
【図５】
0003575241.tif 000006
【図６】
0003575241.tif 000007
【図７】
0003575241.tif 000008
【図８】
0003575241.tif 000009
【図９】
0003575241.tif 000010
【図１０】
0003575241.tif 000011
【図１１】
0003575241.tif 000012
【図１２】
0003575241.tif 000013
【図１３】
0003575241.tif 000014
【図１４】
0003575241.tif 000015
【図１５】
0003575241.tif 000016
【図１６】
0003575241.tif 000017
【図１７】
0003575241.tif 000018